(57)【要約】【課題】  トイレルームの側壁に沿って取り付けられるリモコン操作盤からの無線の発信方向を平面視でトイレルームの斜め後方で且つ斜め上方に設定することができる局部洗浄装置のリモコンを提供する。【解決手段】  トイレルームＴの後部に配置してある便器Ｂの後部上面に局部洗浄装置本体７を配設し、局部洗浄装置本体７の上面の左右の一方の端部に無線の受信部７０を設けるとともに、トイレルームＴの左右の側壁のうち前記受信部７０を設けた側と反対側の側壁１ｂに無線の発信部２を有するリモコン操作盤Ｒを設け、前記リモコン操作盤Ｒの無線の発信方向を平面視で受信部７０を向くように斜め後方とし且つ斜め上方を向くように設定した。【選択図】        図１
2006002495.tif 000002
【特許請求の範囲】
【請求項１】
トイレルームの後部に配置してある便器の後部上面に局部洗浄装置本体を配設し、局部洗浄装置本体の上面の左右の一方の端部に無線の受信部を設けるとともに、トイレルームの左右の側壁のうち前記受信部を設けた側と反対側の側壁に無線の発信部を有するリモコン操作盤を設け、前記リモコン操作盤の無線の発信方向を平面視で受信部を向くように斜め後方とし且つ斜め上方を向くように設定して成ることを特徴とする局部洗浄装置のリモコン。
【請求項２】
発信部が取り付けられる本体基板に表カバーを取り付けてリモコン操作盤の主体が構成されるものにおいて、表ケースに本体基板に取り付けられる発信部を発信方向に傾斜するように保持するガイド部を設けて成ることを特徴とする請求項１記載の局部洗浄装置のリモコン。
【請求項３】
発信部が発光部および該発光部に接続されるリードからなるとともに前記発信部のリードを本体基板に取り付けてリモコン操作盤の主体が構成されるものにおいて、リードの本体基板への取り付け部分から所定長さを折り曲げられないように保持するスペーサ部材を設けて成ることを特徴とする請求項１又は２記載の局部洗浄装置のリモコン。
【発明の詳細な説明】
【技術分野】
【０００１】
本発明はトイレルームに設ける局部洗浄装置のリモコンに関するものである。
【背景技術】
【０００２】
従来よりトイレルームでは局部洗浄装置が使用されている。局部洗浄装置は、無線の受信部を備えた局部洗浄装置本体を便器の後部上面に取り付けるとともに、発信部を備えたリモコン操作盤をトイレルームの側壁に配設して、着座した状態や立った状態でリモコン操作盤を操作するリモコンを備えていた。
【０００３】
ところで、便器はトイレルームの後部に配置してあり（トイレルームの前部は使用者スペース）、その便器の後部上面に局部洗浄装置本体が取り付けられるが、局部洗浄装置本体の前側の便器（便座）上に使用者が着座した状態や、便蓋・便座が起立した状態でもリモコン操作盤からの無線を受信し易いように、局部洗浄装置本体の上面の左右の一方の端部に受信部を配設してあった。そして、リモコン操作盤はトイレルームの左右の側壁のうちの一方の側壁の前部に設けて使用者が着座した状態や立った状態でも使用し易いようにしてあった。
【０００４】
リモコン操作盤はトイレルームの側壁に沿って取り付けられるもので、その本体基板に取り付けられる発信部は、前記本体基板に垂直に取り付けるか（例えば特許文献１参照）、あるいは本体基板の表面に沿って上方又は後方向きに取り付けるものであり（例えば特許文献２参照）、発信部が例えば赤外線ＬＥＤ等の場合には発信方向に向けて発信された無線（赤外線）はある程度の広がりを持って伝播するものであった。
【０００５】
このリモコン操作盤はトイレルームの左右の側壁のうち局部洗浄装置本体の受信部を設けた側の側壁に配設し、リモコン操作盤の発信部から後方に向けて発信した無線を直接受信部で受信するか、リモコン操作盤の発信部から上方に向けて発信した無線のうち若干後方向きに発信した無線がトイレルームの天井で反射して局部洗浄装置本体の受信部で受信するようにしていた。
【０００６】
しかしながら、このような従来のリモコンにおいては、局部洗浄装置本体の受信部を設けた側の側壁にトイレルームの出入口があったりしてリモコン操作盤を配設できない場合、局部洗浄装置本体の受信部を設けた側と反対側の側壁にリモコン操作盤を配設せざるを得ないが、この時、リモコン操作盤の発信部から局部洗浄装置本体の受信部へ向かう方向は、平面視でトイレルームの一方の側壁の前部から他方の側壁の後部近傍への斜め後方に向かう方向となり、従来のリモコン操作盤のように発信方向が上方又は後方に設定されている場合、発信された無線が受信部に届かないか、あるいは届いても天井や側壁に何度も反射して減衰してしまい、無線の強度を強める必要があって電池の消耗が激しくなる、といった問題があるものであった。
【特許文献１】実公平６−２１２５９号公報
【特許文献２】実開平５−７７９８３号公報
【発明の開示】
【発明が解決しようとする課題】
【０００７】
本発明は上記の点に鑑みてなされたものであり、その目的とするところは、トイレルームの側壁に沿って取り付けられるリモコン操作盤からの無線の発信方向を平面視でトイレルームの斜め後方で且つ斜め上方に設定することができる局部洗浄装置のリモコンを提供することを課題とするものである。
【課題を解決するための手段】
【０００８】
上記課題を解決するために請求項１に係る発明にあっては、トイレルームＴの後部に配置してある便器Ｂの後部上面に局部洗浄装置本体７を配設し、局部洗浄装置本体７の上面の左右の一方の端部に無線の受信部７０を設けるとともに、トイレルームＴの左右の側壁のうち前記受信部７０を設けた側と反対側の側壁１ｂに無線の発信部２を有するリモコン操作盤Ｒを設け、前記リモコン操作盤Ｒの無線の発信方向を平面視で受信部７０を向くように斜め後方とし且つ斜め上方を向くように設定して成ることを特徴とするものである。
【０００９】
このような構成とすることで、リモコン操作盤ＲをトイレルームＴの左右の側壁のうち局部洗浄装置本体７の受信部７０を設けた側と反対側の側壁１ｂに配設した場合でも、リモコン操作盤Ｒの発信部２から局部洗浄装置本体７の受信部７０へ向かう方向すなわち、平面視でトイレルームＴの一方の側壁１ｂの前部から他方の側壁１ａの後部近傍への斜め後方に向かう方向で且つ斜め上方に発信することができ、便蓋Ｂ１や便座Ｂ２が起立していても無線を天井で反射させて局部洗浄装置本体７の受信部７０に受信させることができる。
【００１０】
また、請求項２の発明は、請求項１の発明において、発信部２が取り付けられる本体基板３に表カバー４ａを取り付けてリモコン操作盤Ｒの主体が構成されるものにおいて、表ケース４ａに本体基板３に取り付けられる発信部２を発信方向に傾斜するように保持するガイド部６を設けて成ることを特徴とするものである。
【００１１】
このような構成とすることで、本体基板３に取り付けた発光部２０の発光方向を所定の向きに保持することができる。
【００１２】
また、請求項３の発明は、請求項１又は２の発明において、発信部２が発光部２０および該発光部２０に接続されるリード２１からなるとともに前記発信部２のリード２１を本体基板３に取り付けてリモコン操作盤Ｒの主体が構成されるものにおいて、リード２１の本体基板３への取り付け部分から所定長さを折り曲げられないように保持するスペーサ部材５を設けて成ることを特徴とするものである。
【００１３】
このような構成とすることで、リード２１の本体基板３への取り付け部分から所定長さを折り曲げられないようにするとともに、その先端側のリード２１のみを折り曲げて折り曲げたリード２１の折り曲げ長さを小さくして省スペース化を図ることができる。
【発明の効果】
【００１４】
本発明にあっては、リモコン操作盤をトイレルームの左右の側壁のうち局部洗浄装置本体の受信部を設けた側と反対側の側壁に配設した場合でも、リモコン操作盤の発信部から局部洗浄装置本体の受信部へ向かう方向すなわち、平面視でトイレルームの一方の側壁の前部から他方の側壁の後部近傍への斜め後方に向かう方向で且つ斜め上方に発信することができ、便蓋や便座が起立していても無線を天井で反射させて局部洗浄装置本体の受信部に受信させることができ、無線の強度を強めることなく受信させることが可能となる。
【発明を実施するための最良の形態】
【００１５】
以下、本発明の実施の形態について図面に基づいて説明する。本発明の局部洗浄装置本体７のリモコン操作盤Ｒは、図４、図５に示すように、トイレルームＴの側壁１に沿って本体基板３が取り付けられるものであって、その発信部２からの無線の発信方向イを図４（ａ）に示すように平面視でトイレルームＴの対角方向（斜め後方）に設定すべく、発信部２を本体基板３に対して斜め（０°から９０°までの間の角度）に設けたものである。本実施形態のリモコン用の無線には赤外線を用いており、発信部２として赤外線ＬＥＤを用いるものである。なお、図中のｆは前方を、ｂは後方を、ｙは左右方向を示す。
【００１６】
発信部２の赤外線ＬＥＤは、図１乃至図３に示すように、ガラスや樹脂等からなる透明部で外殻が構成される発光部２０と、発光部２０に電気的に接続すべく該発光部２０から突設される二本のリード２１とで主体が構成される。この発信部２は、発光部２０から図中のイ方向に向けてある程度の広がりをもって赤外線が発信されるとともに、前記発信方向と反対側の端部から二本のリード２１を突出させている。
【００１７】
発信部２は、リモコン操作盤Ｒの本体基板３に形成した二個のリード挿通用孔３１にリード２１をそれぞれ挿通して本体基板３の回路に接続固定し、本体基板３に一次的に取り付けられる。本体基板３は図５に示すように矩形状をした板で、上下左右各辺が水平方向および鉛直方向となるようにトイレルームＴの左右の一方の側壁１に取り付けられる。この本体基板３において前記二個のリード挿通用孔３１は、水平方向から傾斜した方向に並設される。すなわち、本実施形態では図４に示すようにトイレルームＴの側壁１ｂに取り付けてあり、図５（ａ）に示すリモコン操作盤Ｒは右が前方、左が後方であり、前方側のリード挿通用孔３１が上側、後方側のリード挿通用孔３１が下側となるように水平方向から略２０°〜５０°傾斜した方向に並設してあり、二本のリード２１を前記傾斜方向（並設方向）と直交する方向に曲げて発光部２０の発信方向イを曲げることが可能となっている。
【００１８】
またこの時、本体基板３に形成した二個のリード挿通用孔３１の間にスペーサ部材５を突設し、スペーサ部材５の前記リード挿通用孔３１に対応する部分にそれぞれ形成した溝５１にリードを挿入し、スペーサ部材５の突出端面に発光部２０が位置するように設定している。そして更に、図２に示すようにリード２１の発光部２０から若干離れた部分にリード膨らみ部２２を設けておき、このリード膨らみ部２２がスペーサ部材５の突出端面に当接するようにして発光部２０のスペーサ部材５の突出端面からの位置決めを行うようにしてもよい。これにより、リード２１の本体基板３への取り付け部分から所定長さを折り曲げられないようにするとともに、その先端側のリード２１のみを折り曲げて折り曲げたリード２１の折り曲げ長さを小さくして省スペース化を図ることができる。
【００１９】
発信部２を取り付けた本体基板３は、リモコン操作盤Ｒのケース４に収納される。ケース４は、図１に示すように表裏に半割れとなる表ケース４ａと裏ケース４ｂとで構成され、裏ケース４ｂに形成した挿通孔４２に外面側からビス４４を挿入するとともに本体基板３の前記挿通孔４２に対応する部分に設けた貫通孔３２に挿入し（図１（ａ）参照）、表ケース４ａのボス孔４３に螺着して表ケース４ａ、本体基板３、裏ケース４ｂの固定が行われる（図１（ｂ）参照）。そしてこの時、本体基板３に設けた発光部２０に対応する表ケース４ａには、発光部２０から発信される赤外線が挿通される窓４１が開口してあるとともに、窓４１の裏面側には発光部２０を斜めに保持するためのガイド部６が形成してある。ガイド部６は、図３に示すように発光部２０が挿入されてその上部と両側部を傾斜した状態で保持する傾斜上面６１および両側面６２からなる。またこのガイド部６は、本実施形態では、窓４１の開口を閉塞する透光部材６０と一体に形成されている。このガイド部６により、本体基板３に取り付けた発光部２０の発光方向を所定の向きに保持することができる。
【００２０】
発信部２は、図１（ｂ）に示すように表ケース４ａ、本体基板３、裏ケース４ｂを固定した時に、リード２１がスペーサ部材５の突出端面に位置するリード膨らみ部２２の部分で曲がってそれより先端側（つまり発光部２０側）がガイド部６にガイドされて傾斜した状態となる。なお、表ケース４ａ、本体基板３、裏ケース４ｂを固定する前に図１（ａ）に示すようにリード２１を予め手で若干曲げておくのが好ましい。
【００２１】
上記のようにすることで、発信部２の発信方向イを、側面視においては図５（ａ）に示すように上方から略３０°後方傾斜して設定し、且つ、正面視においては図５（ｂ）に示すように上方から略４５°トイレルームＴ内方向に傾斜して設定することができる。
【００２２】
このようにすることで、図４に示すように、例えば側壁１ａに入口等があるためにトイレルームＴの後部の便器Ｂの後部上面に配設した局部洗浄装置本体７の受信部７０を設けた側と反対側の側壁１ｂにリモコン操作盤Ｒを配設する場合でも、上記のようにリモコン操作盤Ｒの発信部２からイ方向すなわち側面視において上方から略３０°後方傾斜した方向で且つ正面視において上方から略４５°トイレルームＴ内方向に傾斜した方向に赤外線を発信し、天井でイ’方向に反射させて受信部７０に受信させることができ、便蓋Ｂ１や便座Ｂ２（図では便蓋Ｂ１）が起立した状態でも便蓋Ｂ１に遮られて赤外線が届かないといったことがなく、また、天井で少ない回数（本実施形態では最少の１回）反射させて受信部７０にて受信させることができて赤外線の発信強度を強くする必要がなく電池の消耗が少なくてすむものである。
【００２３】
次に、他の実施形態について図６、図７に基づいて説明する。本実施形態では、上実施形態に加えて、図７に示すように本体基板３に上方に向けて赤外線を発信する発信部２’を設けて、図６（ｃ）（ｄ）に示すように受信部７０が位置する側の側壁１ａにこのリモコン操作盤Ｒを設けた場合でも使用可能にしてある。
【００２４】
この場合、赤外線は発信部２’の発光部２０からある程度の広がりをもって発信されるため、上方から若干後方のロ方向に発信された赤外線が天井に反射して受信部７０にて受信される。
【００２５】
また、受信部７０が位置する側と反対側の側壁１ｂにリモコン操作盤Ｒを設けた場合は、図６（ａ）（ｂ）に示すように上実施形態と同様に発信・受信される。
【００２６】
これにより、リモコン操作盤Ｒをトイレルームの左右の側壁１ａ，側壁１ｂのいずれに設ける場合でも対応することができる。
【図面の簡単な説明】
【００２７】
【図１】本実施形態のリモコンのリモコン操作盤を示し、（ａ）は組立てる前の要部断面図であり、（ｂ）は組立てた後の要部断面図である。
【図２】同上の発信部の本体基板への取り付けを説明する斜視図である。
【図３】ガイド部と発信部の斜視図である。
【図４】トイレルームにおけるリモコン操作盤からの無線の発信方向を説明する図であり、（ａ）は平面図であり、（ｂ）は側面図である。
【図５】リモコン操作盤を示し、（ａ）は側面図であり、（ｂ）は正面図である。
【図６】他の実施形態を示し、受信部と反対側に発信部を設ける場合のトイレルームにおけるリモコン操作盤からの無線の発信方向を説明する図で、（ａ）は平面図であり、（ｂ）は側面図であり、受信部と同じ側に発信部を設ける場合のトイレルームにおけるリモコン操作盤からの無線の発信方向を説明する図で、（ｃ）は平面図であり、（ｄ）は側面図である。
【図７】同上のリモコン操作盤を示し、（ａ）は側面図であり、（ｂ）は正面図である。
【符号の説明】
【００２８】
２    発信部
７    局部洗浄装置本体
７０  受信部
Ｂ    便器
Ｒ    リモコン操作盤
Ｔ    トイレルーム
【図１】
2006002495.tif 000003
【図２】
2006002495.tif 000004
【図３】
2006002495.tif 000005
【図４】
2006002495.tif 000006
【図５】
2006002495.tif 000007
【図６】
2006002495.tif 000008
【図７】
2006002495.tif 000009